(57)【要約】      （修正有）【課題】流体により回転させる風杯等を直列、または、並列に連結すると共に、安定した流体により、所望出力の電力を発生させる、連結可能な風杯型発電装置を提供する。【解決手段】外部に固定した、扁平な円筒状の固定部分内で、発電機に取り付けた回転軸と同心円で、且つ、並列状なエンドレスの歯形板と噛み合う、歯車と一体に回転し流体を吸入するようにした、造流手段で構成する流体吸入手段と、両固定部分の中間で回転摺動をしながら、吸入された流体を受流するようにした回転部分内で、電動回転の風車と一体に造流手段が回転して、流体を圧縮するようにした流体圧縮手段と、圧縮された流体を噴射する流体噴射手段とを具備し、そして、流体吸入手段と流体圧縮手段と流体噴射手段との相互作用により、回転力を増大させ、且つ、固定部分と回転部分が同軸状に複数交互に連結するようにした、連結可能な風杯型発電装置。【選択図】図１
2006009775.tif 000002
【特許請求の範囲】
【請求項１】
外部に固定した、扁平な円筒状の固定部分（１）内で、発電機Ａ（３）に取り付けた回転軸Ａ（４）と同心円で、且つ、並行状なエンドレスの歯形板Ｂ（２７）と噛み合う、歯車Ｂ（２８）と一体に回転し流体を吸入するようにした、造流手段（１９）で構成する流体吸入手段（４１）と、両固定部分（１）の中間で回転摺動をしながら、吸入された流体を受流するようにした回転部分（２）内で、電動回転の風車（１４）と一体に造流手段（１９）が回転して、流体を圧縮するようにした流体圧縮手段（４２）と、圧縮された流体を噴射するようにした流体噴射手段（９）とを具備し、そして、流体吸入手段（４１）と流体圧縮手段（４２）と流体噴射手段（９）との相互作用により、回転力を増大させ、且つ、固定部分（１）と回転部分（２）が同軸状に複数交互に連結するようにした、連結可能な風杯型発電装置。
【請求項２】
自然回転の風車、または、電動回転の風車（１４）と一体に造流手段（１９）が回転して、流体を圧縮するようにした流体圧縮手段（４２）と、風杯（３１）の任意の箇所から噴射させるようにした流体噴射手段（９）とを具備し、そして、複数の回転軸Ｅ（３０）が並列して、傘歯車（３２）と対応傘歯車（３３）により、発電機Ｂ（３５）に取り付けた主軸（３４）に回転力を集合伝動するようにした、連結可能な風杯型発電装置。
【発明の詳細な説明】
【技術分野】
【０００１】  本発明は、風杯型発電装置に関する。
【背景技術】
【０００２】  従来の風杯型発電装置は、自然風力を利用した単一的なものであり、発生電力が不均一で限定的なものであった。
【発明の開示】
【発明が解決しようとする課題】
【０００３】  以上に述べた従来の風杯型発電装置の欠点を改良して、安定し、且つ、所望出力の電力を発生させることを求められている。【０００４】  本発明は、流体により回転させる風杯等を直列、または、並列に連結すると共に、安定した流体により、所望出力の電力を発生させる、連結可能な風杯型発電装置を提供することを目的とする。
【課題を解決するための手段】
【０００５】  そして、本発明は上記目的を達成するために、外部に固定した、扁平な円筒状の固定部分内で、発電機Ａに取り付けた回転軸Ａと同心円で、且つ、並行状なエンドレスの歯形板Ｂと噛み合う、歯車Ｂと一体に回転し、流体を吸入するようにした、造流手段で構成する流体吸入手段と、両固定部分の中間で回転摺動をしながら、吸入された流体を受流するようにした回転部分内で、電動回転の風車と一体に造流手段が回転して、流体を圧縮するようにした流体圧縮手段と、圧縮された流体を噴射するようにした流体噴射手段とを具備し、そして、流体吸入手段と流体圧縮手段と流体噴射手段との相互作用により回転力を増大させ、且つ、固定部分と回転部分とが同軸状に複数交互に連結するようにした。【０００６】  また、第２の課題解決手段は、自然回転の風車、または、電動回転の風車と一体に造流手段が回転して、流体を圧縮するようにした流体圧縮手段と、風杯の任意の箇所から噴射させるようにした流体噴射手段とを具備し、そして、複数の回転軸Ｅが並列して、傘歯車と対応傘歯車により、発電機Ｂに取り付けた主軸に回転力を集合伝動するようにした。【０００７】  上記第１の課題解決手段による作用は次の通りである。すなわち、電動回転の風車に対する電結手段は、発生電力等をバッテリーに充電し、固定部分とフライホイールと回転軸Ｃとを経由させて行うのであるが、本発明は小型化の他、例えばビルの屋上等、不特定な場所において水平状、または、直立状に実施できる利点がある。【０００８】  また、第２の課題解決手段による作用は、この場合の電動回転の風車に対する電結手段は、複数の回転軸の各軸受けを経由させるのであるが、風洞や、水道の如き長狭設備内において、同一流動力を効果的に回転力にさせる利点がある。
【発明の効果】
【０００９】  上述したように本発明の連結可能な風杯型発電装置は、均等化した小さな回転力を結集することで、所望の発電ができ、且つ、乗物、建物等、不特定な場所で実施することができる。
【発明の実施するための最良の形態】
【００１０】  以下、本発明の実施の形態を図１〜４に基づいて説明する。
【００１１】  図１は、本発明の内、直立状に複数連結した場合の一例を示す正面説明図であり、図２は、図１における回転部分２の拡大平面説明図であり、図３は、図１におけるＡＢ断面の平面説明図である。
【００１２】  先づ、扁平な円筒状の上下両固定部分１の中間で回転摺動をする回転部分２は、発電機Ａ３に取り付けた回転軸Ａ４を軸として、フライホイール５を一体に取り付けている。
【００１３】  そして、フライホイール５の外周には、側壁Ｂ７が取り付けられ、且つ、その外周に４枚の側壁Ａ６が取り付けられている。
【００１４】  そして、各上下端が両固定部分１と回転摺動をするように接すると共に、側壁Ａ６の各一端が側壁Ｂ７に垂直状に取り付けられ、且つ、４枚の側壁Ａ６の各他端との接合点に流体噴射手段９を形成させて、気密な中空部分８を４室構成させている。
【００１５】  そして、各中空部分８には、垂直状に折れ曲った部分の側壁Ａ６に対し、平行状な隔壁Ａ１１が３方を包囲する形状で取り付けられ、流体圧縮室Ａ１０を構成させている。
【００１６】  そして、隔壁Ａ１１の向って左側には軸受けＡ１２が取り付けられ、回転軸Ｂ１３を回転自在にしている。
【００１７】  そして、回転軸Ｂ１３には、電動回転の風車１４が一体に取り付けられ、且つ、同心円状にエンドレスの歯形板Ａ１５が取り付けられている。
【００１８】  なお、電動回転の風車１４に対する電結手段は、発生電力を（図示しない）バッテリーに充電し、各固定部分１とフライホイール５と各回転軸Ｃ１７とを経由させて行うようになっている。
【００１９】  そして、歯形板Ａ１５と噛み合う４枚の歯車Ａ１６の回転軸Ｃ１７には、共に一体に回転する造流手段１９が、隔壁Ａ１１を貫通して回転摺動自在に、且つ、回転軸Ｃ１７の他端が側壁Ａ６に取り付けた各軸受けＢ１８で回転自在になっている。
【００２０】  そして、造流手段１９は、円筒２０内で回転軸Ｃ１７に同軸状に取り付けた、円板Ａ２１に開設した貫通孔２３に対し、流体圧縮室Ａ１０とは反対面に、回転方向に向って開口するようにした、固定受流口２２を取り付けたものであるが、他の造流手段を取り付けてもよい。
【００２１】  そして、各流体圧縮室１０内の流体は、流体噴射手段９のノズルＡ２４（例えば）３本から噴射されて回転力を発生させる。
【００２２】  一方、回転部分２を回転摺動させる両固定部分１内の構造は、回転軸４に対して同軸状に一体に取り付けた円板Ｂ２６の外周に、回転軸４に並行状でエンドレスの歯形板Ｂ２７が取り付けられている。
【００２３】  そして、歯形板Ｂ２７に噛み合う歯車Ｂ２８が各２枚、円板Ｂ２６に対して放射状に複数取り付けられ、２枚の歯車Ｂ２８には、造流手段１９を取り付けた回転軸Ｄ２９が、上下対照的に外方に向って取り付けられており、且つ、ノズルＢ２５が複数放射状に４本取り付けられている。
【００２４】  なお、造流手段１９の構造は、前述したのと同様なので説明を省略するが、各円板Ａ２１の貫通孔２３に取り付けた固定受流口２２が各外界方向面に取り付けられて、回転により外界の流体を吸入するようになっている。
【００２５】  上記の如く図１〜３において構成された、本発明の連結可能な風杯型発電装置は、回転軸４に対して複数直列に連結して所望の発電をさせるもので、不特定な場所で、且つ、均等な電力を発生できる。
【００２６】  次に、図４は、本発明の内、複数の風杯群を並列状に連結した場合の側面説明図であり、２本の回転軸Ｅ３０には、各フライホイール５の外周に、各４枚の風杯３１が取り付けられ、且つ、その下端が長狭設備上の軸受けＣ３６に各取り付けられている。
【００２７】  そして、各回転軸Ｅ３０の上端に傘歯車３２が取り付けられ、これに各対応傘歯車３３が噛み合って、主軸３４に各取り付けられ、且つ、主軸３４の左端に発電機Ｂ３５が取り付けられている。
【００２８】  そして、各回転軸Ｅ３０の各４枚の風杯３１は、時計回りになるように図示され、各風杯３１の背部の回転方向には、各流体圧縮室Ｂ３７を形成させるように、各隔壁Ｂ３８が気密状に取り付けられている。
【００２９】  そして、向って左側の回転軸Ｅ３０に取り付けられた４枚の各風杯３１は、外側部分を変形させた隔壁Ｂ３８を取り付け、且つ、風杯３１との間に（例えば）３本のノズルＣ３９を取り付けて、流体圧縮室Ｂ３７の流体を噴射させるようになつている。
【００３０】  そして、隔壁Ｂ３８の中央部を貫通して、造流手段１９が回転摺動自在に取り付けられ、且つ、造流手段１９には一体に回転する、電動回転の風車１４が回転軸Ｂ１３により取り付けられている。
【００３１】  なお、この場合の電動回転の風車１４に対する電結手段は、各軸受けＣ３６を経由させ、且つ、造流手段１９は前述し、同様なので説明を省略するが、固定受流口２２が流体圧縮室Ｂ３７とは反対方向の、円板Ａ２１面の貫通穴２３に取り付けられている
【００３２】  一方、向って右側の回転軸Ｅ３０に取り付けられた、４枚の風杯３１背部の隔壁Ｂ３８の前方には、軸受けを伴った回転軸Ｂ１３が、回転自在に取り付けられ、その他端に取り付けた電動の風車１４の裏面には、同軸状にエンドレスの歯形板Ａ１５が取り付けられている。
【００３３】  そして、歯形板Ａ１５に対して、図２で詳述したのと同様な歯車Ａ１６と、回転軸Ｃ１７と、造流手段１９とが取り付けられているが、説明を省略した。
【００３４】  そして、ノズルＤ４０が各風杯３１の中心を貫通して、圧縮された流体を噴射するようになつている。
【００３５】  なお、図４における電動回転の風車１４は、自然回転の風車でもよい。
【００３６】  上記の如く図４において構成された、本発明の連結可能な風杯型発電装置では、小さな回転力を複数結集させるもので、同一の流動力を何回も利用することにより、大きな回転力にできる利点がある。
【図面の簡単な説明】
【００３７】
【図１】直立状に連結した場合の正面説明図。
【図２】図１における回転部分の拡大平面説明図。
【図３】図１における固定部分のＡＢ断面の平面説明図。
【図４】風杯群を並列状に連結した場合の側面説明図。
【符号の説明】
【００３８】  １  固定部分
２  回転部分
３  発電機Ａ
４  回転軸Ａ
５  フライホイール
６  側壁Ａ
７  側壁Ｂ
８  中空部分
９  流体噴射手段
１０  流体圧縮室Ａ
１１  隔壁Ａ
１２  軸受けＡ
１３  回転軸Ｂ
１４  電動回転の風車
１５  歯形板Ａ
１６  歯車Ａ
１７  回転軸Ｃ
１８  軸受けＢ
１９  造流手段
２０  円筒
２１  円板Ａ
２２  固定受流口
２３  貫通孔
２４  ノズルＡ
２５  ノズルＢ
２６  円板Ｂ
２７  歯形板Ｂ
２８  歯車Ｂ
２９  回転軸Ｄ
３０  回転軸Ｅ
３１  風杯
３２  傘歯車
３３  対応傘歯車
３４  主軸
３５  発電機Ｂ
３６  軸受けＣ
３７  流体圧縮室Ｂ
３８  隔壁Ｂ
３９  ノズルＣ
４０  ノズルＤ
４１  流体吸入手段
４２  流体圧縮手段
【図１】
2006009775.tif 000003
【図２】
2006009775.tif 000004
【図３】
2006009775.tif 000005
【図４】
2006009775.tif 000006
【手続補正書】
【提出日】平成17年1月7日(2005.1.7)
【手続補正１】
【補正対象書類名】明細書
【補正対象項目名】特許請求の範囲
【補正方法】変更
【補正の内容】
【特許請求の範囲】
【請求項１】  外部に固定した、扁平な円筒状の固定部分（１）内で、発電機Ａ（３）に取り付けた回転軸Ａ（４）と同心円で一体な、エンドレスの歯形板Ｂ（２７）と噛み合う、歯車Ｂ（２８）と連動して回転し外部から空気、水等の流体を吸入するようにした、造流手段（１９）で構成する流体吸入手段（４１）と、両固定部分（１）の中間で回転摺動をしながら、吸入された流体を受流するようにした回転部分（２）内で、電動回転の風車（１４）により造流手段（１９）が回転して、流体を圧縮するようにした流体圧縮手段（４２）と、圧縮された流体を固定部分（２）外周の切線方向に噴射するようにした流体噴射手段（９）とを具備し、そして、流体吸入手段（４１）と流体圧縮手段（４２）と流体噴射手段（９）との回転軸Ａ（４）に連動することで発生する相互作用により、回転力を増大させ、且つ、固定部分（１）と回転部分（２）が同軸状に複数交互に連結するようにした、連結可能な風杯風車型発電装置。
【請求項２】自然回転の風車、または、電動回転の風車（１４）に連動して造流手段（１９）が回転して、空気、水等の流体を圧縮するようにした流体圧縮手段（４２）と、その流体を風杯（３１）の任意の箇所に取り付けた、ノズルＣ（３９）、ノズルＤ（４０）等から噴射させるようにした流体噴射手段（９）とを具備し、そして、複数の風杯（１３）と一体な複数の回転軸Ｅ（３０）が並列して、傘歯車（３２）と対応傘歯車（３３）により、発電機Ｂ（３５）に取り付けた主軸（３４）に回転力を集合伝動するようにした、連結可能な風杯風車型発電装置。
【手続補正３】
【補正対象書類名】明細書
【補正対象項目名】０００１
【補正方法】変更
【補正の内容】
【０００１】本発明は、連結可能な風杯風車型発電装置に関する。
【手続補正４】
【補正対象書類名】明細書
【補正対象項目名】０００２
【補正方法】変更
【補正の内容】
【０００２】  従来の風杯風車型発電装置は、自然風力を利用した単一的なものであり、発生電力が不均一で限定的なものであった。
【手続補正５】
【補正対象書類名】明細書
【補正対象項目名】０００３
【補正方法】変更
【補正の内容】
【０００３】  以上に述べた従来の風杯風車型発電装置の欠点を改良して、安定し、且つ、所望出力の電力を発生させることを求められている。
【手続補正６】
【補正対象書類名】明細書
【補正対象項目名】０００４
【補正方法】変更
【補正の内容】
【０００４】  本発明は、空気、水等の流体により回転させる風杯等を直列、または、並列に連結すると共に、安定した流体により、所望出力の電力を発生させる、連結可能な風杯風車型発電装置を提供することを目的とする。
【手続補正７】
【補正対象書類名】明細書
【補正対象項目名】０００５
【補正方法】変更
【補正の内容】
【０００５】  そして、本発明は上記目的を達成するために、外部に固定した、扁平な円筒状の固定部分内で、発電機Ａに取り付けた回転軸Ａと同心円で一体な、エンドレスの歯形板Ｂと噛み合う、歯車Ｂと連動して回転し、外部から空気、水等の流体を吸入するようにした、造流手段で構成する流体吸入手段と、両固定部分の中間で回転摺動をしながら、吸入された流体を受流するようにした回転部分内で、電動回転の風車により造流手段が回転して、流体を圧縮するようにした流体圧縮手段と、圧縮された流体を固定部分外周の切線方向に噴射するようにした流体噴射手段とを具備し、そして、流体吸入手段と流体圧縮手段と流体噴射手段との回転軸Ａに連動することで発生する相互作用により、回転力を増大させ、且つ、固定部分と回転部分が同軸状に複数交互に連結するようにした。
【手続補正８】
【補正対象書類名】明細書
【補正対象項目名】０００６
【補正方法】変更
【補正の内容】
【０００６】  また、第２の課題解決手段は、自然回転の風車、または、電動回転の風車に連動して造流手段が回転して、空気、水等の流体を圧縮するようにした流体圧縮手段と、その流体を風杯の任意の箇所に取り付けた、ノズルＣ、ノズルＤ等から噴射させるようにした流体噴射手段とを具備し、そして、複数の風杯と一体な複数の回転軸Ｅが並列して、傘歯車と対応傘歯車により、発電機Ｂに取り付けた主軸に回転力を集合伝動するようにした。
【手続補正書】
【提出日】平成17年6月21日(2005.6.21)
【手続補正１】
【補正対象書類名】明細書
【補正対象項目名】特許請求の範囲
【補正方法】変更
【補正の内容】
【特許請求の範囲】
【請求項１】外部に固定した、扁平な円筒状の固定部分（１）内で、発電機Ａ（３）に取り付けた回転軸Ａ（４）と同心円で一体な、エンドレスの歯形板Ｂ（２７）と噛み合う、歯車Ｂ（２８）と連動して回転し外部から空気、水等の流体を吸入するようにした、固定部分（１）の造流手段（１９）で構成する流体吸入手段（４１）と、両固定部分（１）の中間で回転摺動しながら、前記で吸入された流体を受流するようにした回転部分（２）内で、電動回転の風車（１４）により回転部分（２）の造流手段（１９）が回転して、流体を圧縮するようにした流体圧縮手段（４２）と、前記で圧縮された流体を回転部分（２）外周の切線反回転方向に噴射するようにした流体噴射手段（９）とを具備し、そして、流体吸入手段（４１）と流体圧縮手段（４２）と流体噴射手段（９）との回転軸Ａ（４）に連動することで発生する相互作用により、回転力を増大させ、且つ、固定部分（１）と回転部分（２）が同軸状に複数交互に連結するようにした、連結可能な風車型発電装置。
【請求項２】同一流動力を直列状に複数で利用できるようにした、風洞や水道等の長狭設備内において、自然回転の風車、または、電動回転の風車（１４）に連動して造流手段（１９）が回転して、空気、水等の流体を圧縮するようにした流体圧縮手段（４２）と、その流体を風杯（３１）の任意の箇所に取り付けた、ノズルＣ（３９）、ノズルＤ（４０）等から、前記回転とは反対方向に噴射させるようにした流体噴射手段（９）とを具備し、そして、複数の風杯（１３）と一体な複数の回転軸Ｅ（３０）が並列して、傘歯車（３２）と対応傘歯車（３３）により、発電機Ｂ（３５）に取り付けた主軸（３４）に回転力を集合伝動するようにした、連結可能な風車型発電装置。
【手続補正３】
【補正対象書類名】明細書
【補正対象項目名】０００１
【補正方法】変更
【補正の内容】
【０００１】  本発明は、連結可能な風車型発電装置に関する。
【手続補正４】
【補正対象書類名】明細書
【補正対象項目名】０００２
【補正方法】変更
【補正の内容】
【０００２】  従来の風車型発電装置は、自然風力を利用した単一的なものであり、発生電力が不均一で限定的なものであった。
【手続補正５】
【補正対象書類名】明細書
【補正対象項目名】０００３
【補正方法】変更
【補正の内容】
【０００３】  以上に述べた従来の風車型発電装置の欠点を改良して、安定し、且つ、所望出力の電力を発生させることを求められている。
【手続補正６】
【補正対象書類名】明細書
【補正対象項目名】０００４
【補正方法】変更
【補正の内容】
【０００４】  本発明は、空気、水等の流体により回転させる風杯等を直列、または、並列に連結すると共に、安定した流体により、所望出力の電力を発生させる、連結可能な風車型発電装置を提供することを目的とする。
【手続補正７】
【補正対象書類名】明細書
【補正対象項目名】０００５
【補正方法】変更
【補正の内容】
【０００５】  そして、本発明は上記目的を達成するために、外部に固定した、扁平な円筒状の固定部分内で、発電機Ａに取り付けた回転軸Ａと同心円で一体な、エンドレスの歯形板Ｂと噛み合う、歯車Ｂと連動して回転し外部から空気、水等の流体を吸入するようにした、固定部分の造流手段で構成する流体吸入手段と、両固定部分の中間で回転摺動をしながら、前記で吸入された流体を受流するようにした回転部分内で、電動回転の風車により回転部分の造流手段が回転して、流体を圧縮するようにした回転部分内で、電動回転の風車により回転部分の造流手段が回転して、流体を圧縮するようにした流体圧縮手段と、前記で圧縮された流体を回転部分外周の切線反回転方向に噴射するようにした流体噴射手段とを具備し、そして、流体吸入手段と流体圧縮手段と流体噴射手段との回転軸Ａに連動することで発生する相互作用により、回転力を増大させ、且つ、固定部分と回転部分が同軸状に複数交互に連結するようにした。
【手続補正８】
【補正対象書類名】明細書
【補正対象項目名】０００６
【補正方法】変更
【補正の内容】
【０００６】  また、第２の課題解決手段は、同一流動力を直列状に複数で利用できるよううにした、風洞や水道等の長狭設備内において、自然回転の風車、または、電動回転の風車に連動して造流手段が回転して、空気、水等の流体を圧縮するようにした流体圧縮手段と、その流体を風杯の任意の箇所に取り付けた、ノズルＣ、ノズルＤ等から、前記回転とは反対方向に噴射させるようにした流体噴射手段とを具備し、そして、複数の風杯と一体な複数の回転軸が並列して、傘歯車と対応傘歯車により、発電機Ｂに取り付けた主軸に回転力を集合伝動するようにした。
【手続補正９】
【補正対象書類名】明細書
【補正対象項目名】０００９
【補正方法】変更
【補正の内容】
【０００９】  上述したように本発明の連結可能な風車型発電装置は、均等化した小さな回転力を結集することで、所望の発電ができ、且つ、乗物、建物等、不特定な場所で実施することができる。
【手続補正１０】
【補正対象書類名】明細書
【補正対象項目名】００２５
【補正方法】変更
【補正の内容】
【００２５】  上記の如く図１〜３において構成された、本発明の連結可能な風車型発電装置は、回転軸４に対して複数直列に連結して所望の発電をせるもので、不特定な場所で、且つ、均等な電力を発生できる。
【手続補正１１】
【補正対象書類名】明細書
【補正対象項目名】００３６
【補正方法】変更
【補正の内容】
【００３６】  上記の如く図４において構成された、本発明の連結可能な風車型発電装置では、小さな回転力を複数結集させるもので、同一の流動力を何回も利用することにより、大きな回転力にできる利点がある。